(57)【要約】【課題】  本発明は、上記の状況を鑑みてなされたもので、部品使用期限を管理することで、信頼性の高い電子部品装着装置または電子部品装着装置の電子部品管理方法を提供することである。【解決手段】  本発明は、電子部品の部品寸法及び基板へ前記電子部品を装着する制御データを含むライブラリデータを備える部品ライブラリに基づいて、前記電子部品を前記基板へ装着する電子部品装着装置又は電子部品装着装置の電子部品管理方法において、前記部品ライブラリに設けられた前記電子部品の使用期限データと、他のデータとして設けられた前記電子部品の使用開始日時データとに基づいて、使用期限を判断する。【選択図】図５
2014154576.tif 000002
【特許請求の範囲】
【請求項１】
電子部品の部品寸法及び基板へ前記電子部品を装着する制御データを含むライブラリデータを備える部品ライブラリに基づいて、前記電子部品を前記基板へ装着する電子部品装着装置において、
前記部品ライブラリに設けられた前記電子部品の使用期限データと、他のデータとして設けられた前記電子部品の使用開始日時データとに基づいて、使用期限を判断する使用期限判断手段を有することを特徴とする電子部品装着装置。
【請求項２】
請求項１に記載の電子部品装着装置において、
前記使用期限データは、前記使用期限の有無と、有りの場合は日又は時間かを示す期限タイプと、前記期限タイプに応じて日数又は時間数を示す期限データとを有することを特徴とする電子部品装着装置。
【請求項３】
請求項１又は２に記載の電子部品装着装置において、
前記使用期限データを、前記ライブリデータを設定する画面を表示するモニタを介して
入力することを特徴とする電子部品装着装置。
【請求項４】
請求項１又は２或いは３に記載の電子部品装着装置において、
前記電子部品を供給する供給テープ又は前記供給テープを巻回する供給リールに設けられた前記電子部品を規定する部品ＩＤと、前記供給テープを前記電子部品の取出し位置に移動させるテープフィーダに設けられる一連の管理シリアル番号との少なくとも一方に基づいて、前記使用期限データを検索する第１の検索手段を有することを特徴とする電子部品装着装置。
【請求項５】
請求項１又は２或いは３に記載の電子部品装着装置において、
前記電子部品を供給する供給テープ又は前記供給テープを巻回する供給リールに設けられた前記電子部品を規定する部品ＩＤに基づいて、前記供給テープを前記電子部品の取出し位置に移動させるテープフィーダに設けられる一連の管理シリアル番号を規定し、前記管理シリアル番号に基づいて、前記使用期限データを検索する第２の検索手段を有することを特徴とする電子部品装着装置。
【請求項６】
電子部品の部品寸法及び基板へ前記電子部品を装着する制御データを含むライブラリデータを備える部品ライブラリに基づいて、前記電子部品を前記基板へ装着する電子部品装着装置の電子部品管理方法において、
前記部品ライブラリに設けられた前記電子部品の使用期限データと、他のデータとして設けられた前記電子部品の使用開始日時データとに基づいて、使用期限を判断することを特徴とする電子部品装着装置の電子部品管理方法。
【請求項７】
請求項６に記載の電子部品装着装置の電子部品管理方法において、
前記使用期限データは、前記使用期限の有無と、有りの場合は日又は時間かを示す期限タイプと、前記期限タイプに応じて日数又は時間数を示す期限データとを有することを特徴とする電子部品装着装置の電子部品管理方法。
【請求項８】
請求項６又は７に記載の電子部品装着装置の電子部品管理方法において、
前記使用期限データを、前記ライブリデータを設定する画面を表示するモニタを介して
入力することを特徴とする電子部品装着装置の電子部品管理方法。
【請求項９】
請求項６又は７或いは９に記載の電子部品装着装置の電子部品管理方法において、
前記電子部品を供給する供給テープ又は前記供給テープを巻回する供給リールに設けられた前記電子部品を規定する部品ＩＤと、前記供給テープを前記電子部品の取出し位置に移動させるテープフィーダに設けられる一連の管理シリアル番号との少なくとも一方に基づいて、前記使用期限データを検索することを特徴とする電子部品装着装置の電子部品管理方法。
【請求項１０】
請求項６又は７或いは９に記載の電子部品装着装置の電子部品管理方法において、
前記電子部品を供給する供給テープ又は前記供給テープを巻回する供給リールに設けられた前記電子部品を規定する部品ＩＤに基づいて、前記供給テープを前記電子部品の取出し位置に移動させるテープフィーダに設けられる一連の管理シリアル番号を規定し、前記管理シリアル番号に基づいて、前記使用期限データを検索することを特徴とする電子部品装着装置の電子部品管理方法。
【発明の詳細な説明】
【技術分野】
【０００１】
本発明は、電子部品装着装置及び電子部品装着装置の電子部品管理方法、特に電子部品に使用期限を確実に管理し、信頼性の高い電子部品装着装置及び電子部品装着装置の電子部品管理方法に関する。
【背景技術】
【０００２】
電子部品装着装置は、電子部品の形状データ、装着位置等の制御データ等を有する部品ライブラリデータや、電子部品を一意的に定める管理シリアル番号を有する部品管理データ等を記憶装置に格納し、部品供給ユニット(テープフィーダ又は部品供給トレイ)から電子部品を取り出し、プリント基板等に装着する。
【０００３】
電子部品の中には、例えば、べ―ク時の吸湿による破裂や短絡の不具合を避けるために、ラミネート袋又は電子部品管理室から取出した後に、所定の期限内に装着する必要がある。
このような状来技術として、特許文献１がある。特許文献１に示す電子部品実装ラインを構成する作業装置である電子部品装着装置では、例えば電子部品の電子部品装着装置への装着時期、または部品管理データに設けられた電子部品の使用開始日時を参照して作業員が判断し、使用期限を判断し、電子部品の装着を行っている。
【先行技術文献】
【特許文献】
【０００４】
【特許文献１】特開２０１２−０３３０７１号公報
【発明の概要】
【発明が解決しようとする課題】
【０００５】
しかしながら、特許文献１に開示する方法では、多くの場合は、問題はないが、電子部品装着装置にトラブルが発生したり、装着する基板(機種)の順番の変更により、部品供給ユニット(テープフィーダ又は部品供給トレイ)を電子部品装着装置から外した時、その後時間が経過し電子部品の使用期限が切れてしまう虞がある。
【０００６】
本発明の目的は、上記の状況を鑑みてなされたもので、部品使用期限を管理することで、信頼性の高い電子部品装着装置または電子部品装着装置の電子部品管理方法を提供することである。
【課題を解決するための手段】
【０００７】
本発明は、上記目的を達成するために、少なくとも以下の特徴を有する。
【０００８】
本発明は、電子部品の部品寸法及び基板へ前記電子部品を装着する制御データを含むライブラリデータを備える部品ライブラリに基づいて、前記電子部品を前記基板へ装着する電子部品装着装置又は電子部品装着装置の電子部品管理方法において、前記部品ライブラリに設けられた前記電子部品の使用期限データと、他のデータとして設けられた前記電子部品の使用開始日時データとに基づいて、使用期限を判断することを特徴とする。
【０００９】
または、本発明は、前記使用期限データは、前記使用期限の有無と、有りの場合は日又は時間かを示す期限タイプと、前記期限タイプに応じて日数又は時間数を示す期限データとを有してもよい。
さらに、本発明は、前記使用期限データを、前記ライブリデータを設定する画面を表示するモニタを介して入力してもよい。
【００１０】
または、本発明は、前記電子部品を供給する供給テープ又は前記供給テープを巻回する供給リールに設けられた前記電子部品を規定する部品ＩＤと、前記供給テープを前記電子部品の取出し位置に移動させるテープフィーダに設けられる一連の管理シリアル番号との少なくとも一方に基づいて、前記使用期限データを検索してもよい。
【００１１】
さらに、本発明は、前記電子部品を供給する供給テープ又は前記供給テープを巻回する供給リールに設けられた前記電子部品を規定する部品ＩＤに基づいて、前記供給テープを前記電子部品の取出し位置に移動させるテープフィーダに設けられる一連の管理シリアル番号を規定し、前記管理シリアル番号に基づいて、前記使用期限データを検索してもよい。
【発明の効果】
【００１２】
本発明によれば、部品使用期限を管理することで、信頼性の高い電子部品装着装置または電子部品装着装置の電子部品管理方法を提供できる。
【図面の簡単な説明】
【００１３】
【図１】本発明の実施形態に係る電子部品装着装置の上面図である。
【図２】本発明の実施形態に係る電子部品装着装置と周辺機器の構成ブロック図である。
【図３】テープフィーダ、収納テープ、ユニットカートの概要図である。
【図４】部品ライブラリ内の使用期限データの一例を示す図である。
【図５】部品ライブラリへの使用期限データの登録画面を示す図である。
【図６】チェックサーバ内の部品管理データの一例を示す図である。
【図７】各部品に対して一意の管理シリアル番号ラベルを発行するフローを示す図である。
【図８】管理シリアル番号ラベルを得るための部品関連付け登録画面の一例を示す図である。
【図９】本実施形態に係る電子部品装着装置の使用部品の期限管理をフィーダ・部品情報登録時に行うフローを示す図である。
【図１０】フィーダ・部品情報登録画面の一例を示す図である。
【発明を実施するための形態】
【００１４】
以下、本発明の実施形態に係る電子部品装着装置の使用期限（装着期限）管理の方法を、図１ないし図１１を用いて説明する。
先ず、図１および図３を用いて本発明の実施形態に係る電子部品装着装置の構造について説明する。図１は、本発明の実施形態に係る電子部品装着装置１の上面図である。図２は、本発明の実施形態に係る電子部品装着装置１と周辺機器の構成ブロック図である。図３は、テープフィーダ３、収納テープ１１０、ユニットカート１９の概要図である。
【００１５】
図１に示されるように、本実施形態の電子部品装着装置１は、種々の電子部品をそれぞれその部品取出位置（部品吸着位置）に１個ずつ供給するテープフィーダ３が、ユニットカート１９上に複数並設されている。対向するテープフィーダ３群の間には、供給コンベア４、位置決め部５および排出コンベア６が設けられている。供給コンベア４は、上流側装置（図示せず）より受けたプリント基板Ｐを位置決め部５に搬送し、この位置決め部５で位置決め機構（図示せず）により位置決めされた基板Ｐ上に電子部品が装着された後、排出コンベア６に搬送され、下流側装置（図示せず）に搬送される。
【００１６】
部品供給ユニットであるテープフィーダ３は、テープ供給リール１０４（図３参照）に巻回収納された収納テープ１１０（図３参照）を１ピッチずつ間欠送りすると共にカバーテープを剥離して、部品取出位置に電子部品を送り、吸着ノズル１３による取出しに供するものである。
【００１７】
一対のビーム８は、Ｘ方向に長くなっており、Ｙ軸駆動モータ９の駆動によりネジ軸１０を回転させ、左右一対のガイド１１に沿ってプリント基板Ｐやテープフィーダ３の部品取出部（部品吸着位置）上方を個別にＹ方向に移動する。また、各ビーム８には、その長手方向、すなわち、Ｘ方向にＸ軸駆動モータ１５によりガイドに沿って移動する装着ヘッド７が設けられ、この装着ヘッド７には、複数本、例えば３本の吸着ノズル１３が設けられる。そして、装着ヘッド７には吸着ノズル１３を上下動させるための上下軸駆動モータ１６が搭載され、また鉛直軸周りに回転させるためのθ軸駆動モータ１７が搭載されている。したがって、装着ヘッド７の吸着ノズル１３はＸ方向およびＹ方向に移動可能であり、鉛直軸回りに回転可能で、かつ上下動可能となっている。
【００１８】
部品認識カメラ１８は、電子部品が吸着ノズル１３に対してどれだけ位置ずれして吸着保持されているかＸＹ方向および回転角度につき、位置認識するために電子部品を撮像する。そして、各電子部品が吸着ノズル１３に吸着保持された状態で部品認識カメラ１８により撮像されて後述する認識処理装置２３により認識処理される。
【００１９】
本実施形態の電子部品装着装置１の構成ブロックを示すと、図２のようになる。
ＣＰＵ（Central Processing Unit）２０は、この電子部品装着装置１を制御し、各部に指示を与え、必要なプログラムを実行する、揮発性のメモリであるＲＡＭ（Random Access Memory）２１と、不揮発性のメモリであるＲＯＭ（Read Only Memory）２２は、このＣＰＵ２０にバスラインを介して接続されている半導体記憶装置である。そして、ＣＰＵ２０は、ＲＡＭ２１に記憶されたデータに基づき、ＲＯＭ２２に格納されたプログラムに従い、電子部品装着装置１の部品装着動作に係る動作を統括的に制御する。すなわち、ＣＰＵ２０は、駆動回路２７を介して、Ｙ軸駆動モータ９、Ｘ軸駆動モータ１５、上下軸駆動モータ１６およびθ軸駆動モータ１７等の駆動を制御する。
【００２０】
ＲＡＭ２１には、部品装着に係るプリント基板Ｐの種類毎に装着データが記憶されており、その装着順序毎（ステップ番号毎）に、プリント基板Ｐ内でのＸ方向（Ｘで示す）、Ｙ方向（Ｙで示す）および角度（θで示す）情報や、各テープフィーダ３の配置番号情報等が格納されている（装着データの具体例は、後述）。また、ＲＡＭ２１には、各プリント基板Ｐの種類毎に各テープフィーダ３のテープフィーダ配置番号（レーン番号）に対応した各電子部品の種類（部品ＩＤ）やその部品に関する情報、すなわち、部品配置データが格納されている（部品配置データの具体例は、後述）。また、テープフィーダとユニットカートの各レーンの対応を保持するフィーダ配置データが格納されている。
【００２１】
さらには、この部品ＩＤ毎に電子部品の特徴等に関する部品ライブラリデータが、ライブラリサーバ３６よりロードされて格納される。
【００２２】
認識処理装置２３は、インターフェース２４を介してＣＰＵ２０に接続されており、部品認識カメラ１８により撮像して取込まれた画像の認識処理がこの認識処理装置２３にておこなわれ、ＣＰＵ２０に処理結果が送出される。すなわち、ＣＰＵ２０は、部品認識カメラ１８に撮像された画像を認識処理（位置ずれ量の算出など）するように指示を認識処理装置２３に出力すると共に、認識処理結果を認識処理装置２３から受取るものである。
モニタ２５は、部品画像や各種データ設定のための画面などを表示する表示装置であり、このモニタ２５には入力手段としての種々のタッチパネルスイッチ２６が設けられ、作業者がタッチパネルスイッチ２６を操作することにより、種々の設定をおこなうことができる。
【００２３】
バーコードスキャナ３０は、光学的センサーを備えた読取装置であり、テープフィーダ３の所定箇所、例えば、ユニットカート１９の供給台への取り付けまたは取り外しの際に使用する把手に付されたラベルに記載されたフィーダバーコード１０２（図３参照）で構成されるフィーダ情報（各テープフィーダ３の固有のシリアル番号等）や、収納テープ１１０が巻回収納されたテープ供給リール１０４（図３参照）に付されたラベルに記載された部品バーコード１０３（図３参照）で構成される部品情報（電子部品を識別するため部品ＩＤおよびその電子部品に関する情報（収納数量等））を読み取るものである。なお、フィーダバーコード１０２、部品バーコード１０３は、ラベルプリンタ３９等で作成される。
【００２４】
パーソナルコンピュータ３１は、電子部品装着装置１とＬＡＮ回線３２を介して接続されるマイクロコンピュータ等を備えた情報処理装置であり、このパーソナルコンピュータ３１は、同じくＬＡＮ回線３２を介してチェックサーバ３３に接続されている。また、パーソナルコンピュータ３１には表示装置としてのモニタ３４およびキーボード等の入力部３５が接続されている。パーソナルコンピュータ３１は、ＣＰＵ２０に対して上位制御装置であり、ＬＡＮ回線３２を介して複数の電子部品装着装置１に接続されている。
【００２５】
また、チェックサーバ３３には、フィーダ情報、部品ＩＤおよびその部品に関連する情報を互いに対応付けるフィーダ・部品関連付けデータ（フィーダ・部品関連付けデータの具体例は、後述）が格納されている。
部品ライブラリサーバ３６は、入力部３８を用いてモニタ３７を見ながら入力された搭載部品の仕様や部品配置データの基になるデータを蓄え、電子部品装着装置１に送信する。
【００２６】
テープフィーダ３は、ユニットカート１９の上に搭載される。ユニットカート１９は、レーン番号を付与されたレーンに分かれており、各々のレーンにテープフィーダ３が装着される。テープフィーダ３は、後述するように、メモリ上に自己のフィーダ情報を保持しており、レーンに装着したときに、電子部品装着装置１のＣＰＵ２０は、通電ユニット（図示せず）を介して、そのフィーダ情報を読み取って、フィーダ情報とレーン番号を対応付けるフィーダ配置データを保持する。また、テープフィーダ３は、図３に示されるように、ユニットカート１９のテープ供給リール１０４に設置された収納テープ１１０を部品取出位置側に送り出すものである。さらに、テープフィーダ３は、各々の識別するための情報である管理フィーダシリアル番号６０１（図６参照）がフィーダバーコード１０２の形態で記憶されており、バーコードスキャナ３０で読み取れるようになっている。同時に、このテープフィーダ３は、当該テープフィーダ３のメモリにフィーダシリアル番号を保持している。
【００２７】
一方、収納テープ１１０にも、供給する部品情報が部品バーコード１０３の形態で付与されており、これをバーコードスキャナ３０で読み取れるようになっている。また、テープフィーダ３のフィーダシリアル番号と収納テープ１１０の部品情報は、バーコード形式の他に、ＩＣタグを用いて記憶されるようにし、それをＩＣタグリーダで読み取るようにしてもよい。
【００２８】
次に、図４〜図６を用いて本発明の一実施形態の特徴である使用部品の期限管理をする方法に用いられるデータ構造について説明する。図４は、部品ライブラリ内の使用期限データの一例を示す図である。図５は、部品ライブラリへの使用期限データの登録画面を示す図である。図６は、チェックサーバ内の部品管理データの一例を示す図である。
【００２９】
部品ライブラリ内は、使用期限データ４００の他、部品寸法４０５等から構成されている。使用期限データ４００は、部品の使用期限を算出する為のデータであり、部品ライブラリサーバ３６に保持される。使用期限データ４００は、図４に示されるように、部品ＩＤ４０１、期限タイプ４０２、期限日数４０３、期限時間４０４の各欄よりなる。
【００３０】
部品ＩＤ４０１の欄は、部品を識別するためのＩＤを記述するものである。期限タイプ４０２は、使用期限の有無、有りの場合は日又は時間かを示すものである。期限日数４０３は部品の使用期限となる日数を記述するものである。期限時間４０４は部品の使用期限となる時間を記述するものである。期限日数、期限時間は、例えば電子部品を梱包したラミネート袋を開封された、或いは工場などの部品管理室から出庫された日、時間を基準に作成される。
【００３１】
使用期限データの登録は、モニタ３７に表示される図５に示す部品ライブラリ編集画面を用いて行われる。図５は、図４における部品Ａに関する例である。使用期限データは、部品ライブラリ編集画面による形状データ、部品寸法等の作成データを指定する作成データ指定欄５０１の期限データを選択することに行われる。
【００３２】
使用期限データ登録画面５００の期限タイプ欄５０２には、日数ベース、時間ベース、使用しない項目から選択し入力できる。期限日数［日］欄５０３には、期限日数を入力する。期限時間［時間］欄５０４には、期限時間を入力する。５０２〜５０４欄の値は、キーボードなどで入力部３８から作業者が変更することも可能である。例えば、期限タイプが「日」で期限日数［日］が「１００」の場合、その部品の使用期限は１００日間となる。
【００３３】
図６に示す部品管理データ６００は、電子部品装着装置１で掛違いチェック、残数管理をするデータであり、チェックサーバ３３に保持される。部品管理データ６００は、図６に示すように、管理シリアル番号６０１、部品ＩＤ４０１、使用開始日時６０３等、の各欄を有する。管理シリアル番号６０１の欄は、各部品を一意に識別するためのシリアル番号を記述するものである。部品ＩＤ４０１は部品を識別するためのＩＤを記述するものである。使用開始日時６０３は、部品が電子部品装着装置1で初めて使用された日時を記述するものである。
【００３４】
各部品に対して一意の管理シリアル番号を含むフィーダバーコード１０２の管理シリアル番号ラベルを発行するフローを図７に示す。図７は、管理シリアル番号のラベルを得るための部品関連付け登録画面の一例を示す図である。
各部品に対して管理シリアル番号ラベルを発行できれば、図６に示すチェックサーバ内の部品管理データにより、当該部品の使用開示日時を検索し、得ることができ、図４に示す部品ライブラリ内の使用期限データにより期限管理をすることができる。
【００３５】
まず、部品と管理シリアル番号とを関連付ける図７に示す部品関連付け登録画面８００をモニタ３４に表示する（Ｐ１）。部品供給ユニット（テーフィーダ、部品供給トレイ）に部品バーコード１０３（図３参照）の有無を確認する（Ｐ２）。部品バーコード１０３がある場合には、バーコードスキャナ３０より部品バーコード１０３を読み取り、図８の部品関連付け登録画面８００の部品ＩＤ欄８０２に部品ＩＤ４０１を表示する（Ｐ３）。部品バーコード１０３がない場合には、作業者がキーボードなどの入力部３５により部品ＩＤ４０１を入力する（Ｐ４）。パーソナルコンピュータ３１上に入力された部品ＩＤ４０１の部品ＩＤ欄８０２に表示する（Ｐ４）。表示された部品ＩＤ４０１が、登録ボタン８０４を押すことでチェックサーバ３３に転送されて登録される（Ｐ５）。
【００３６】
チェックサーバ３３は、部品ＩＤを受信する（Ｓ１）。転送された部品ＩＤは、図６に示す部品管理データ６００の部品ＩＤ４０１の欄に登録され、登録される際に一意の管理シリアル番号６０１が発行され、図６の管理シリアル番号の欄に登録される（Ｓ２）。何らかの原因で登録されない場合は、一意のシリアル番号は発行されず、管理シリアル番号６０１の欄にはなにも登録されない。
チェックサーバ３３は、部品ＩＤ４０１を図６に登録実施後に、パーソナルコンピュータ３１に、部品登録の可否と部品ＩＤに対する図６に示す管理シリアル番号６０１を転送する（Ｓ２）。
【００３７】
パーソナルコンピュータ３１は、部品登録の可否と管理シリアル番号６０１を受信する（Ｐ６）。部品登録がＯＫならば（Ｐ７）、図８の部品登録可否欄８０３に登録ＯＫを、管理シリアル番号欄８０２に管理シリアル番号６０１を表示する（Ｐ８）。その管理シリアル番号を有する発行バーコードラベルをラベルプリンタ３９で発行し（Ｐ９）、部品供給ユニット（テープフィーダ、部品供給トレイ）に貼り付け（Ｐ１０）、処理を終了する。
部品登録がＮＧならば（Ｐ７）、その旨を図８の部品登録可否欄８０３に登録ＮＧを表示し（Ｐ１１）、処理を終了する。
【００３８】
図７では、電子部品に管理シリアル番号が付与されていない場合の例であるが、既に付与されている場合は、図７の処理を省略することができる。
【００３９】
次に、図９を用いて本発明の実施形態に係る電子部品装着装置１の使用部品の期限管理をする方法の処理について説明する。図９は、本実施形態に係る電子部品装着装置１の使用部品の期限管理をフィーダ・部品情報登録時に行うフローを示す図である。図１０は、フィーダ・部品登録情報画面の一例を示す図である。なお、以下の作業は、電子部品装着装置１にバーコードスキャナを設けて、モニタ２５に表示させて行える。  
まず、図１０に示したフィーダ・部品情報登録画面１０００を、モニタ３４に表示する（Ｐ１０１）。次に、パーソナルコンピュータ３１に接続されているバーコードスキャナ３０により、テープフィーダ３のフィーダバーコード１０２を読み取り、図１０のフィーダバーコード欄１００１に表示し、同様にして、バーコードスキャナ３０により、図７に示す管理シリアル番号の図７のフローで発行された発行バーコードを読み取り、管理シリアル番号欄１００２に表示する（Ｐ１０２）。なお、これらのバーコードの値は、キーボードなとの入力部３５により、作業者が変更することも可能である。
【００４０】
管理シリアル番号欄１００２の管理シリアル番号を基にしてチェックサーバ３３から図６に示す部品管理データ６００の部品情報（部品ＩＤ、使用開始時間）を得、得られた部品ＩＤを部品ＩＤ欄１００３に表示する（Ｐ１０３）。このとき、チェックサーバ３３では、転送されてきた管理シリアル番号に対応する部品情報を図７に示す部品管理データ６００より検索する。対応する部品情報が存在した場合、部品ＩＤ、使用開始時間のデータをパーソナルコンピュータ３１へ転送する。
また、フィーダ・部品情報登録画面１０００は、部品管理データ６００の入力欄を設け、作業者がキーボードなどの入力部３５により、部品情報を入力できるようにしてもよい。
【００４１】
次に、パーソナルコンピュータ３１は、使用開始日時データも有無を確認する（Ｐ１０４）。無ければ、使用開始日時データを当該部品の管理記録等を参考にし、当該部品が可能ならば、作業員はキーボード等の入力部３５により使用開始日時及び使用期限データを入力し、テープフィーダとその部品との関連付け処理を行う（Ｐ１０５）。フィーダ・部品情報登録画面１０００の登録結果欄１００４に登録ＯＫを表示する（Ｐ１０６）。
【００４２】
一方、使用開始日時データであれば、パーソナルコンピュータ３１は、チェックサーバ３３より取得した部品ＩＤを基に、部品ライブラリサーバ３６より、図５の画面で設定された使用期限データを取得する（Ｐ１０７）。取得した使用期限データにおいて期限管理が不要か必要か判断する（Ｐ１０８）。
【００４３】
必要ならば、パーソナルコンピュータ３１は、取得した使用期限データの期限タイプ（で期限日数データ、期限時間データ）に基づいて、使用期限日時を算出する（Ｐ１０９）。使用期限日時の算出は、チェックサーバ３３より取得した使用開始時間に、部品ライブラリサーバ３６より取得した期限日数データあるいは期限時間データを加算して行う。現在の日時を得（Ｐ１１０）、使用期限日時と現在日時を比較する（Ｐ１１１）。期限切れの場合は、フィーダ・部品情報登録画面１０００の登録結果欄１００４に登録ＮＧを表示する（Ｐ１１２）。
【００４４】
Ｐ１０８において期限管理が不要又はＰ１１１において使用期限内と判断された場合は、テープフィーダとその部品との関連付け処理を行い（Ｐ１１３）、フィーダ・部品情報登録画面１０００の登録結果欄１００４に登録ＯＫを表示する（Ｐ１１４）。
【００４５】
なお、フィーダ・部品登録時のチェック処理に関しては、電子部品装着装置１でも実施してもよい。
【００４６】
以上説明した図９において、部品供給ユニットにセットされている電子部品が部品バーコードで読み取れた部品と一致していることが事前にチェックされていれば、Ｐ１０１乃至Ｐ１０３を省略し、ただ単に、部品バーコード１０３に部品ＩＤを読込み、当該部品ＩＤに基づいて、Ｐ１０４の以下の処理を行ってもよい。
【００４７】
以上説明した本実施形態によれば、部品使用期限を管理することで、信頼性の高い電子部品装着装置または電子部品装着装置の電子部品管理方法を提供できる。
【符号の説明】
【００４８】
１：電子部品装着装置                  ３：テープフィーダ
７：装着ヘッド                        １３：吸着ノズル
１８：部品認識カメラ                  １９：ユニットカート
２０：ＣＰＵ(Central Processing Unit) ２１：ＲＡＭ（Random Access Memory）
２２：ＲＯＭ(Read Only Memory)        ２３：認識処理装置
２４：インターフェース                ２５：モニタ
２６：タッチパネルスイッチ            ３０：バーコードスキャナ
３１：パーソナルコンピュータ(上位制御装置)
３２：ＬＡＮ回線                      ３３：チェックサーバ
３４、３７：モニタ                    ３５、３８：入力部
３６：ライブラリサーバ                ３９：ラベルプリンタ
１０２：フィーダバーコード            １０３：部品バーコード
１０４：テープ供給リール              １１０：収納テープ
４００：使用期限データ                ４０１：部品ＩＤ
４０２：期限タイプ                    ４０３: 期限日数
４０４：期限時間                      ５００:使用期限データ登録画面
５０２：期限タイプ欄                  ５０３：期限日数［日］欄
５０４：期限時間［時間］欄            ６００：部品管理データ
６０１：管理シリアル番号              ６０３：使用開始日時
８００：部品関連付け登録画面          ８０１、１００１：管理シリアル番号欄
８０２、１００２：部品ＩＤ欄          ８０３、１００３: 部品登録可否欄
８０４：登録ボタン                    １０００：フィーダ・部品情報登録画面
Ｐ：プリント基板
【図１】
2014154576.tif 000003
【図２】
2014154576.tif 000004
【図３】
2014154576.tif 000005
【図４】
2014154576.tif 000006
【図５】
2014154576.tif 000007
【図６】
2014154576.tif 000008
【図７】
2014154576.tif 000009
【図８】
2014154576.tif 000010
【図９】
2014154576.tif 000011
【図１０】
2014154576.tif 000012